(57)【要約】【課題】コンテンツを録画した録画装置とは別の移動再生表示端末でコンテンツの再生を行った場合でも、コンテンツの再生が行われたことを認識することが出来るコンテンツ管理システムを提供する。【解決手段】録画したコンテンツの管理を行うコンテンツ管理システムであって、コンテンツの録画を行う録画装置と、録画装置が録画したコンテンツの管理を行うコンテンツ管理装置と、コンテンツの再生及び表示を行う移動再生表示端末と、を備える。移動再生表示端末は、コンテンツの再生及び表示を行い、コンテンツの再生を完了した後に、そのコンテンツの再生完了を表すコンテンツ再生完了情報をコンテンツ管理装置に送出する。コンテンツ管理装置は、移動再生表示端末からのコンテンツ再生完了情報を受信する。【選択図】図１
2008177744.tif 000002
【特許請求の範囲】
【請求項１】
録画したコンテンツの管理を行うコンテンツ管理システムであって、
前記コンテンツ管理システムは、コンテンツの録画を行う録画装置と、前記録画装置が録画したコンテンツの管理を行うコンテンツ管理装置と、コンテンツの再生及び表示を行う移動再生表示端末と、を備え、
前記移動再生表示端末は、コンテンツの再生及び表示を行う再生表示手段と、前記再生表示手段が前記コンテンツの再生を完了した後に当該コンテンツの再生完了を表すコンテンツ再生完了情報を前記コンテンツ管理装置に送出する再生完了情報送出手段と、を有し、
前記コンテンツ管理装置は、前記移動再生表示端末からのコンテンツ再生完了情報を受信する再生完了情報受信手段を有することを特徴とするコンテンツ管理システム。
【請求項２】
前記移動再生表示端末は、前記再生表示手段がコンテンツの再生を完了した後に当該コンテンツに対する削除可指示又は削除不可指示のいずれかの入力を催告する削除指示入力催告手段を有し、
前記コンテンツ再生完了情報は、入力された当該コンテンツに対する削除可指示又は削除不可指示のいずれかを含むことを特徴とする請求項１記載のコンテンツ管理システム。
【請求項３】
録画したコンテンツの管理を行うコンテンツ管理システムであって、
前記コンテンツ管理システムは、コンテンツの録画を行う録画装置と、前記録画装置が録画したコンテンツの管理を行うコンテンツ管理装置と、コンテンツの配信を行うコンテンツ配信装置と、コンテンツの再生及び表示を行う移動再生表示端末と、を備え、
前記コンテンツ配信装置は、前記録画装置が録画したコンテンツを前記移動再生表示端末へ配信するコンテンツ配信手段と、前記移動再生表示端末が前記コンテンツの再生を完了したかどうかを判断する再生完了判断手段と、前記再生完了判断手段が前記コンテンツの再生を完了したと判断した場合に当該コンテンツの再生完了を表すコンテンツ再生完了情報を前記コンテンツ管理装置に送出する再生完了情報送出手段と、を有し、
前記移動再生表示端末は、前記コンテンツ配信装置から配信されるコンテンツを受信するコンテンツ受信手段と、受信したコンテンツの再生及び表示を行う再生表示手段と、を有し、
前記コンテンツ管理装置は、前記コンテンツ配信装置からのコンテンツ再生完了情報を受信する再生完了情報受信手段を有することを特徴とするコンテンツ管理システム。
【請求項４】
前記再生完了判断手段は、前記移動再生表示端末へのコンテンツの配信が完了した場合に、前記移動再生表示端末が前記コンテンツの再生を完了したと判断することを特徴とする請求項３記載のコンテンツ管理システム。
【請求項５】
前記コンテンツ再生完了情報は、当該コンテンツの再生を行った移動再生表示端末を表す端末識別情報を含むことを特徴とする請求項１又は請求項３に記載のコンテンツ管理システム。
【請求項６】
前記コンテンツ管理装置は、前記再生完了情報受信手段が受信したコンテンツ再生完了情報を登録する再生完了情報登録手段を有することを特徴とする請求項１又は請求項３に記載のコンテンツ管理システム。
【請求項７】
前記コンテンツ管理装置は、前記再生完了情報受信手段が受信したコンテンツ再生完了情報に基づき当該コンテンツを削除すべきかどうかの判断を行うコンテンツ削除判断手段と、前記コンテンツ削除判断手段が削除すべきであると判断したコンテンツに対する削除指示を送出するコンテンツ削除指示手段と、を有し、
前記録画装置は、前記コンテンツ管理装置から送出されるコンテンツに対する削除指示に応じて当該コンテンツを削除するコンテンツ削除実行手段を有することを特徴とする請求項１又は請求項３に記載のコンテンツ管理システム。
【発明の詳細な説明】
【技術分野】
【０００１】
本発明は、録画装置に録画されているコンテンツの管理を行うコンテンツ管理システムに関する。
【背景技術】
【０００２】
コンテンツを録画する録画装置として、近年、ハードディスクレコーダ等が用いられている。このハードディスクレコーダの記憶容量には限界があるため、録画したコンテンツの容量が記憶容量を越える前に、録画したコンテンツをハードディスクレコーダから削除する必要がある。
【０００３】
特許文献１には、録画したコンテンツの再生完了後に、利用者からの指示に基づいてコンテンツの削除又は保存を行う装置が記載されている。この装置は、録画したコンテンツの再生完了後に、このコンテンツを削除するか保存するかの指示を入力する画面を表示する。そして、入力された指示に基づいてコンテンツの削除又は保存を行う。コンテンツを削除する指示が入力された場合は、再生したコンテンツを削除する。コンテンツを保存する指示が入力された場合は、再生したコンテンツを保存する。
【０００４】
特許文献２には、コンテンツの再生等の操作とその操作を行った利用者を表す情報を記憶する装置が記載されている。例えば、利用者がコンテンツを再生する操作を行うと、その操作を行った利用者を表す情報と、コンテンツを再生したという情報が記憶される。そして、記憶されている再生の操作等の情報に基づき、コンテンツの管理、例えば、コンテンツの削除等を行う。
【特許文献１】特開平１０−２３４００７号公報
【特許文献２】特開２００６−１５５６８６号公報
【発明の開示】
【発明が解決しようとする課題】
【０００５】
特許文献１に記載の装置においては、コンテンツを録画した録画装置で再生が完了した場合に、このコンテンツを削除するか保存するかの指示を入力する画面を表示している。録画装置に録画されているコンテンツを携帯情報端末や携帯電話等の移動再生表示端末に記憶して、その移動再生表示端末でコンテンツの再生を行った場合、録画装置はコンテンツの再生が行われたことを認識することが出来ない。それ故、移動再生表示端末でコンテンツの再生が完了しても、このコンテンツを削除するか保存するかの指示を入力する画面を表示することが出来ないため、利用者からの指示に基づいたコンテンツの削除又は保存を行うことが出来ない。
【０００６】
特許文献２に記載の装置においては、コンテンツを録画した録画装置で行われた再生の操作等を記憶している。録画装置に録画されているコンテンツを移動再生表示端末に記憶して、その移動再生表示端末でコンテンツの再生を行った場合、録画装置はコンテンツの再生が行われたことを認識することが出来ない。それ故、移動再生表示端末でコンテンツの再生が行われても、再生の操作が行われたことを記憶することが出来ない。
【０００７】
本発明は、上記した点に鑑みてなされたものであり、コンテンツを録画した録画装置とは別の移動再生表示端末でコンテンツの再生を行った場合でも、コンテンツの再生が行われたことを認識することが出来るコンテンツ管理システムを提供することを目的とする。
【課題を解決するための手段】
【０００８】
本発明のコンテンツ管理システムは、コンテンツの録画を行う録画装置と、録画装置が録画したコンテンツの管理を行うコンテンツ管理装置と、コンテンツの再生及び表示を行う移動再生表示端末と、を備え、移動再生表示端末は、コンテンツの再生及び表示を行う再生表示手段と、再生表示手段がコンテンツの再生を完了した後に、そのコンテンツの再生完了を表すコンテンツ再生完了情報をコンテンツ管理装置に送出する再生完了情報送出手段と、を有し、コンテンツ管理装置は、移動再生表示端末からのコンテンツ再生完了情報を受信する再生完了情報受信手段を有することを特徴とする。
【発明の効果】
【０００９】
本発明のコンテンツ管理システムによれば、移動再生表示端末でコンテンツの再生が完了した後に、再生が完了したことをコンテンツ管理装置へ通知しているので、移動再生表示端末でコンテンツの再生を行った場合でも、コンテンツの再生が行われたことを認識することが出来る。
【発明を実施するための最良の形態】
【００１０】
以下、本発明の実施例について図面を参照しつつ詳細に説明する。
【００１１】
図１は、本発明に係るコンテンツ管理システムの第１の実施例を示している。コンテンツ管理システムは、コンテンツの録画を行う録画装置１と、コンテンツの管理を行うコンテンツ管理装置２と、コンテンツの再生及び表示を行う移動再生表示端末３ａ及び３ｂと、コンテンツの配信を行うコンテンツ配信装置５から構成されている。録画装置１と、コンテンツ管理装置２と、コンテンツ配信装置５は、ＬＡＮ等の接続ケーブル６により接続されている。移動再生表示端末３ａ及び３ｂは、コンテンツ管理装置２との間で無線通信を行うことが出来る。また、移動再生表示端末３ｂは、コンテンツ配信装置５から無線通信により配信されるコンテンツを受信することが出来る。
【００１２】
録画装置１は、テレビジョン放送やネット配信等により供給されるコンテンツの録画を行うものである。コンテンツ受信部１１は、テレビジョン放送やネット配信等により供給されるコンテンツを受信する。録画部１２は、コンテンツ受信部１１が受信したコンテンツの録画を行う。録画部１２が録画したコンテンツには、コンテンツの各々を識別するコンテンツＩＤが付与される。コンテンツ削除実行手段１３は、コンテンツ管理装置２からの削除指示に応じて、指定されたコンテンツの削除を行う。
【００１３】
コンテンツ管理装置２は、録画装置１に録画されているコンテンツの管理を行うものである。再生完了情報受信手段２１は、移動再生表示端末３ａ及び３ｂから無線通信により送出されるコンテンツ再生完了情報を受信する。再生完了情報登録手段２２は、再生完了情報受信手段２１が受信したコンテンツ再生完了情報をコンテンツ再生情報テーブル２５に登録する。コンテンツ削除判断手段２３は、再生完了情報受信手段２１が受信したコンテンツ再生完了情報に基づいて、コンテンツを削除すべきかどうかの判断を行う。コンテンツ削除指示手段２４は、コンテンツ削除判断手段２３が削除すべきであると判断したコンテンツに対する削除指示を録画装置１へ送出する。コンテンツ再生情報テーブル２５は、録画装置１に録画されているコンテンツの再生情報を記録している。端末情報テーブル２６は、コンテンツの再生及び表示を行う移動再生表示端末の情報を記録している。
【００１４】
図２に、コンテンツ再生情報テーブル２５の例を示す。コンテンツ再生情報テーブル２５は、コンテンツＩＤ、再生済みフラグ、再生端末の項目から構成されている。コンテンツＩＤの項目には、コンテンツの各々を識別するコンテンツＩＤが記録されている。再生済みフラグの項目には、コンテンツが最後まで再生されたかどうかを表す再生済みフラグの値が記録されている。再生済みフラグの値が「０」の場合は、コンテンツが最後まで再生されていないことを表している。再生済みフラグの値が「１」の場合は、コンテンツが最後まで再生されたことを表している。再生端末の項目には、コンテンツの再生を行った移動再生表示端末を表す端末識別情報が記録されている。コンテンツの再生がどの移動再生表示端末でも行われていない場合、再生端末の項目は、何も記録されていない状態である。コンテンツが複数の移動再生表示端末で再生された場合、再生端末の項目には、再生を行った全ての移動再生表示端末の端末識別情報が記録される。
【００１５】
図３に、端末情報テーブル２６の例を示す。端末情報テーブル２６は、端末識別情報と移動再生表示端末名の項目から構成されている。端末識別情報の項目には、移動再生表示端末の各々を識別する端末識別情報が記録されている。移動再生表示端末名の項目には、移動再生表示端末の名称が記録されている。
【００１６】
移動再生表示端末３ａ及び３ｂは、コンテンツの再生及び表示を行うものである。再生表示手段３１は、コンテンツの再生及び表示を行う。再生完了情報送出手段３２は、再生表示手段３１がコンテンツの再生を完了した後に、そのコンテンツの再生完了を表すコンテンツ再生完了情報をコンテンツ管理装置２へ送出する。コンテンツ再生完了情報には、再生の完了したコンテンツに対応するコンテンツＩＤと、再生した移動再生表示端末を表す端末識別情報が含まれる。移動再生表示端末３ａには、ＵＳＢケーブル等の接続ケーブル７を介して移動記憶装置４が接続している。移動記憶装置４は、録画装置１に録画されているコンテンツを記憶することが出来る。また、コンテンツと共にそのコンテンツに対応するコンテンツＩＤも記憶される。移動再生表示端末３ａは、移動記憶装置４に記憶されているコンテンツの再生及び表示を行うことが出来る。移動再生表示端末３ｂは、コンテンツ配信装置５から配信されるコンテンツを受信して、そのコンテンツの再生及び表示を行うことが出来る。
【００１７】
コンテンツ配信装置５は、録画装置１に録画されているコンテンツを移動再生表示端末へ配信するものである。コンテンツ配信装置５は、配信するコンテンツと共にそのコンテンツに対応するコンテンツＩＤも移動再生表示端末へ配信する。
【００１８】
尚、録画装置、コンテンツ管理装置、コンテンツ配信装置を１つの装置で構成するようにしてもよい。また、移動記憶装置は、移動再生表示端末に含まれるようにしてもよい。
【００１９】
図４に、録画装置１に録画されているコンテンツを移動再生表示端末３ａで再生するときの動作を示す。
【００２０】
まず、利用者が録画装置１に録画されているコンテンツを移動記憶装置４に記憶させる操作を行い、録画装置１に録画されているコンテンツが移動記憶装置４で記憶されたとする（ステップＳ４０１）。このとき移動記憶装置４には、録画されているコンテンツの内容とそのコンテンツに対応するコンテンツＩＤが記憶される。ここでは、コンテンツＩＤとして「１１１１１」が付与されているコンテンツが記憶されたとする。コンテンツを移動記憶装置４に記憶した後、利用者が、移動再生表示端末３ａ及び移動記憶装置４を持ち、別の場所へ移動したとする。移動完了後、その場所で利用者がコンテンツＩＤとして「１１１１１」が付与されているコンテンツを再生する操作を行ったとする（ステップＳ４０２）。再生の操作があると移動再生表示端末３ａは、移動記憶装置４からコンテンツを読み出して（ステップＳ４０３）、再生及び表示を行う（ステップＳ４０４）。
【００２１】
ここで、コンテンツが最後まで再生されて、再生が完了したとする（ステップＳ４０５）。コンテンツの再生が完了すると、移動再生表示端末３ａは、再生が完了したコンテンツに対応するコンテンツＩＤと自身の端末識別情報からなるコンテンツ再生完了情報をコンテンツ管理装置２へ送出する（ステップＳ４０６）。ここでは、コンテンツＩＤとして「１１１１１」が、端末識別情報として「端末３ａ」が送出される。
【００２２】
コンテンツ管理装置２は、コンテンツ再生完了情報を受信すると、コンテンツ再生情報テーブル２５へ受信したコンテンツ再生完了情報を登録する（ステップＳ４０７）。コンテンツ管理装置２は、コンテンツ再生情報テーブル２５から、コンテンツＩＤの項目に、受信したコンテンツ再生完了情報に含まれるコンテンツＩＤ「１１１１１」が記録されている行を検索する。そして、検索された行の再生済みフラグの項目を「１」に設定して、その行の再生端末の項目に受信したコンテンツ再生完了情報に含まれる端末識別情報「端末３ａ」を記録する。ここで、コンテンツ再生完了情報を受信する前のコンテンツ再生情報テーブル２５の内容が図２に示される内容であったとする。このとき、コンテンツＩＤ「１１１１１」と端末識別情報「端末３ａ」からなるコンテンツ再生完了情報を受信して、受信したコンテンツ再生完了情報がコンテンツ再生情報テーブル２５に登録されたとする。この場合、コンテンツ再生情報テーブル２５の内容は図５のようになる。コンテンツＩＤの項目に「１１１１１」が記録されている行の再生済みフラグの項目には「１」が設定されており、再生端末の項目には「端末３ａ」が記録されている。
【００２３】
コンテンツ再生情報テーブル２５へコンテンツ再生完了情報を登録した後、コンテンツ管理装置２は、コンテンツを削除すべきかどうかの判断を行う（ステップＳ４０８）。コンテンツ管理装置２は、端末情報テーブル２６に登録されている全ての移動再生表示端末でコンテンツの再生が完了した場合に、そのコンテンツを削除すべきであると判断する。コンテンツ管理装置２は、コンテンツ再生情報テーブル２５から、コンテンツＩＤの項目に「１１１１１」が記録されている行を抽出する。そして、抽出した行の再生端末の項目に、端末情報テーブル２６に登録されている全ての移動再生表示端末の端末識別情報が記録されているかどうかを確認する。ここで、コンテンツ再生情報テーブル２５の内容が図５に示される内容で、端末情報テーブル２６の内容が図３に示される内容であったとする。端末情報テーブル２６には、「端末３ａ」と「端末３ｂ」が記録されている。コンテンツ再生情報テーブル２５のコンテンツＩＤの項目に「１１１１１」が記録されている行の再生端末の項目には「端末３ａ」しか記録されていない。それ故、コンテンツＩＤ「１１１１１」を付与されたコンテンツを削除すべきでないと判断する。
【００２４】
図６に、録画装置１に録画されているコンテンツを移動再生表示端末３ｂで再生するときの動作を示す。
【００２５】
利用者が、移動再生表示端末３ｂでコンテンツＩＤとして「１１１１１」が付与されているコンテンツを再生する操作を行ったとする（ステップＳ６０１）。再生の操作があると移動再生表示端末３ｂは、コンテンツＩＤ「１１１１１」が付与されているコンテンツを配信するようにコンテンツ配信装置５へ要求を出す（ステップＳ６０２）。コンテンツ配信装置５は、配信要求を受信すると、録画装置１からコンテンツを読み出して（ステップＳ６０３）、移動再生表示端末３ｂへ配信する（ステップＳ６０４）。このとき、コンテンツ配信装置５は、コンテンツの内容と共にそのコンテンツに対応するコンテンツＩＤ「１１１１１」も移動再生表示端末３ｂへ配信する。移動再生表示端末３ｂは、コンテンツ配信装置５から配信されるコンテンツの再生及び表示を行う（ステップＳ６０５）。
【００２６】
ここで、コンテンツが最後まで再生されて、再生が完了したとする（ステップＳ６０６）。コンテンツの再生が完了すると、移動再生表示端末３ｂは、再生が完了したコンテンツに対応するコンテンツＩＤと自身の端末識別情報からなるコンテンツ再生完了情報をコンテンツ管理装置２へ送出する（ステップＳ６０７）。ここでは、コンテンツＩＤとして「１１１１１」が、端末識別情報として「端末３ｂ」が送出される。
【００２７】
コンテンツ管理装置２は、コンテンツ再生完了情報を受信すると、コンテンツ再生情報テーブル２５へ受信したコンテンツ再生完了情報を登録する（ステップＳ６０８）。コンテンツ管理装置２は、コンテンツ再生情報テーブル２５から、コンテンツＩＤの項目に、受信したコンテンツ再生完了情報に含まれるコンテンツＩＤ「１１１１１」が記録されている行を検索する。そして、検索された行の再生済みフラグの項目を「１」に設定して、その行の再生端末の項目に受信したコンテンツ再生完了情報に含まれる端末識別情報「端末３ｂ」を記録する。ここで、コンテンツ再生完了情報を受信する前のコンテンツ再生情報テーブル２５の内容が図５に示される内容であったとする。このとき、コンテンツＩＤ「１１１１１」と端末識別情報「端末３ｂ」からなるコンテンツ再生完了情報を受信して、受信したコンテンツ再生完了情報がコンテンツ再生情報テーブル２５に登録されたとする。この場合、コンテンツ再生情報テーブル２５の内容は図７のようになる。コンテンツＩＤ「１１１１１」に対応する再生済みフラグの項目には「１」が設定されており、再生端末の項目には「端末３ａ」及び「端末３ｂ」が記録されている。
【００２８】
コンテンツ再生情報テーブル２５へコンテンツ再生完了情報を登録した後、コンテンツ管理装置２は、コンテンツを削除すべきかどうかの判断を行う（ステップＳ６０９）。コンテンツ管理装置２は、端末情報テーブル２６に登録されている全ての移動再生表示端末でコンテンツの再生が完了した場合に、そのコンテンツを削除すべきであると判断する。コンテンツ管理装置２は、コンテンツ再生情報テーブル２５から、コンテンツＩＤの項目に「１１１１１」が記録されている行を抽出する。そして、抽出した行の再生端末の項目に、端末情報テーブル２６に登録されている全ての移動再生表示端末の端末識別情報が記録されているかどうかを確認する。ここで、コンテンツ再生情報テーブル２５の内容が図７に示される内容で、端末情報テーブル２６の内容が図３に示される内容であったとする。端末情報テーブル２６には、「端末３ａ」と「端末３ｂ」が記録されている。コンテンツ再生情報テーブル２５のコンテンツＩＤの項目に「１１１１１」が記録されている行の再生端末の項目には、「端末３ａ」と「端末３ｂ」が記録されている。それ故、コンテンツＩＤ「１１１１１」を付与されたコンテンツを削除すべきであると判断する。コンテンツ管理装置２は、コンテンツを削除すべきであると判断すると、録画装置１へコンテンツの削除指示を送出する（ステップＳ６１０）。ここでは、コンテンツＩＤ「１１１１１」を付与されたコンテンツに対する削除指示が送出される。
【００２９】
録画装置１は、コンテンツＩＤ「１１１１１」を付与されたコンテンツに対する削除指示を受信すると、コンテンツＩＤ「１１１１１」を付与されたコンテンツを削除する（ステップＳ６１１）。
【００３０】
図８に、コンテンツ管理装置２のコントローラ（図示せず）で実行されるコンテンツ再生完了情報受信ルーチンの動作を示す。コンテンツ再生完了情報受信ルーチンは、割り込みにより周期的に実行される。
【００３１】
コントローラは、移動再生表示端末からのコンテンツ再生完了情報を受信したかどうかを確認する（ステップＳ８０１）。コンテンツ再生完了情報を受信していない場合は、処理を終了する。コンテンツ再生完了情報を受信した場合、コントローラは、受信したコンテンツ再生完了情報をコンテンツ再生情報テーブル２５に登録する（ステップＳ８０２）。コントローラは、コンテンツ再生情報テーブル２５から、コンテンツＩＤの項目に受信したコンテンツ再生完了情報に含まれるコンテンツＩＤが記録されている行を検索する。そして、検索された行の再生済みフラグの項目を「１」に設定して、その行の再生端末の項目に受信したコンテンツ再生完了情報に含まれる端末識別情報を記録する。
【００３２】
コンテンツ再生完了情報をコンテンツ再生情報テーブル２５に登録した後、コントローラは、コンテンツ再生情報テーブル２５から、コンテンツＩＤの項目に受信したコンテンツ再生完了情報に含まれるコンテンツＩＤが記録されている行を抽出する（ステップＳ８０３）。そして、コントローラは、端末情報テーブル２６に登録されている全ての移動再生表示端末でコンテンツの再生が完了したかどうかの判断を行う（ステップＳ８０４）。Ｓ８０３の処理で抽出した行の再生端末の項目に、端末情報テーブル２６に登録されている全ての移動再生表示端末の端末識別情報が記録されている場合は、全ての移動再生表示端末で再生が完了したと判断する。Ｓ８０３の処理で抽出した行の再生端末の項目に、端末情報テーブル２６に登録されている全ての移動再生表示端末の端末識別情報が記録されていない場合は、全ての移動再生表示端末での再生が完了していないと判断する。
【００３３】
端末情報テーブル２６に登録されている全ての移動再生表示端末での再生が完了していないと判断した場合、コントローラは、処理を終了する。端末情報テーブル２６に登録されている全ての移動再生表示端末でコンテンツの再生が完了したと判断した場合、コントローラは、録画装置１へ再生の完了したコンテンツに対する削除指示を送出する（ステップＳ８０５）。
【００３４】
このように、移動再生表示端末は、コンテンツの再生が完了すると、コンテンツの再生が完了したことを表すコンテンツ再生完了情報をコンテンツ管理装置へ送出している。それ故、コンテンツ管理装置は、移動再生表示端末でコンテンツの再生が行われた場合でも、コンテンツの再生が完了したことを認識することが出来る。また、コンテンツ再生完了情報には再生を行った移動再生表示端末を表す端末識別情報も含まれるので、どの移動再生表示端末でコンテンツの再生が完了しているかを知ることが出来る。
【００３５】
以下で、本発明の第２の実施例について説明する。
【００３６】
図９は、本発明に係るコンテンツ管理システムの第２の実施例を示している。コンテンツ管理システムは、コンテンツの録画を行う録画装置１と、コンテンツの管理を行うコンテンツ管理装置２と、コンテンツの再生及び表示を行う移動再生表示端末３ａから構成されている。録画装置１とコンテンツ管理装置２は、ＬＡＮ等の接続ケーブル６により接続されている。移動再生表示端末３ａは、コンテンツ管理装置２との間で無線通信を行うことが出来る。
【００３７】
録画装置１は、テレビジョン放送やネット配信等により供給されるコンテンツの録画を行うものである。コンテンツ受信部１１は、テレビジョン放送やネット配信等により供給されるコンテンツを受信する。録画部１２は、コンテンツ受信部１１が受信したコンテンツの録画を行う。コンテンツ削除実行手段１３は、コンテンツ管理装置２からの削除指示に応じて、指定されたコンテンツの削除を行う。
【００３８】
コンテンツ管理装置２は、録画装置１に録画されているコンテンツの管理を行うものである。再生完了情報受信手段２１は、移動再生表示端末３ａから無線通信により送出されるコンテンツ再生完了情報を受信する。コンテンツ削除判断手段２３は、再生完了情報受信手段２１が受信したコンテンツ再生完了情報に基づいて、コンテンツを削除すべきかどうかの判断を行う。コンテンツ削除指示手段２４は、コンテンツ削除判断手段２３が削除すべきであると判断したコンテンツに対する削除指示を録画装置１へ送出する。
【００３９】
移動再生表示端末３ａは、コンテンツの再生及び表示を行うものである。再生表示手段３１は、コンテンツの再生及び表示を行う。再生完了情報送出手段３２は、再生表示手段３１がコンテンツの再生を完了した後で、そのコンテンツの再生完了を表すコンテンツ再生完了情報をコンテンツ管理装置２に送出する。コンテンツ再生完了情報には、再生の完了したコンテンツに対する削除可又は削除不可の指示が含まれる。削除指示入力催告手段３３は、再生表示手段３１がコンテンツの再生を完了した後で、そのコンテンツに対する削除可指示又は削除不可指示のいずれかの入力を催告する。移動再生表示端末３ａには、ＵＳＢケーブル等の接続ケーブル７を介して移動記憶装置４が接続している。移動記憶装置４は、録画装置１に録画されているコンテンツを記憶することが出来る。移動再生表示端末３ａは、移動記憶装置４に記憶されているコンテンツの再生及び表示を行うことが出来る。
【００４０】
尚、録画装置とコンテンツ管理装置を１つの装置で構成するようにしてもよい。また、移動記憶装置は、移動再生表示端末に含まれるようにしてもよい。
【００４１】
図１０に、録画装置１に録画されているコンテンツを移動再生表示端末３ａで再生するときの動作を示す。
【００４２】
まず、利用者が録画装置１に録画されているコンテンツを移動記憶装置４に記憶させる操作を行い、録画装置１に録画されているコンテンツが移動記憶装置４で記憶されたとする（ステップＳ１００１）。このとき移動記憶装置４には、録画されているコンテンツの内容が記憶される。コンテンツを移動記憶装置４に記憶した後、利用者が、移動再生表示端末３ａ及び移動記憶装置４を持ち、別の場所へ移動したとする。移動完了後、その場所で利用者がコンテンツを再生する操作を行ったとする（ステップＳ１００２）。再生の操作があると移動再生表示端末３ａは、移動記憶装置４からコンテンツを読み出して（ステップＳ１００３）、再生及び表示を行う（ステップＳ１００４）。
【００４３】
ここで、コンテンツが最後まで再生されて、再生が完了したとする（ステップＳ１００５）。コンテンツの再生が完了すると、移動再生表示端末３ａは、再生が完了したコンテンツに対する削除可指示又は削除不可指示のいずれかの入力を催告する削除指示画面を表示する（ステップＳ１００６）。図１１に、削除指示画面の例を示す。削除指示画面１１００は、メッセージ表示部１１０１、削除可ボタン１１０２、削除不可ボタン１１０３から構成されている。メッセージ表示部１１０１は、この画面が再生を完了したコンテンツに対する削除可指示又は削除不可指示のいずれかを入力する画面であることを示している。削除可ボタン１１０２は、コンテンツの削除を可とする指示を入力する場合に選択する。削除不可ボタン１１０３は、コンテンツの削除を不可とする指示を入力する場合に選択する。ここで、利用者が削除不可ボタン１１０３を選択して、削除不可指示が入力されたとする（ステップＳ１００７）。削除不可指示が入力されると、移動再生表示端末３ａは、再生が完了したコンテンツのファイル名と削除不可指示からなるコンテンツ再生完了情報をコンテンツ管理装置２へ送出する（ステップＳ１００８）。
【００４４】
コンテンツ管理装置２は、コンテンツ再生完了情報を受信すると、コンテンツを削除すべきかどうかの判断を行う（ステップＳ１００９）。コンテンツ管理装置２は、受信したコンテンツ再生完了情報に削除可指示が含まれている場合は、コンテンツを削除すべきであると判断する。受信したコンテンツ再生完了情報に削除不可指示が含まれている場合は、コンテンツを削除すべきでないと判断する。このとき受信したコンテンツ再生完了情報には、削除不可指示が含まれているので、コンテンツ管理装置２は、コンテンツを削除すべきでないと判断する。
【００４５】
図１２に、録画装置１に録画されているコンテンツを移動再生表示端末３ａで再生するときの動作を示す。
【００４６】
まず、利用者が録画装置１に録画されているコンテンツを移動記憶装置４に記憶させる操作を行い、録画装置１に録画されているコンテンツが移動記憶装置４で記憶されたとする（ステップＳ１２０１）。このとき移動記憶装置４には、録画されているコンテンツの内容が記憶される。コンテンツを移動記憶装置４に記憶した後、利用者が、移動再生表示端末３ａ及び移動記憶装置４を持ち、別の場所へ移動したとする。移動完了後、その場所で利用者がコンテンツを再生する操作を行ったとする（ステップＳ１２０２）。再生の操作があると移動再生表示端末３ａは、移動記憶装置４からコンテンツを読み出して（ステップＳ１２０３）、再生及び表示を行う（ステップＳ１２０４）。
【００４７】
ここで、コンテンツが最後まで再生されて、再生が完了したとする（ステップＳ１２０５）。コンテンツの再生が完了すると、移動再生表示端末３ａは、再生が完了したコンテンツに対する削除可指示又は削除不可指示のいずれかの入力を催告する削除指示画面を表示する（ステップＳ１２０６）。図１１に、削除指示画面の例を示す。ここで、利用者が削除可ボタン１１０２を選択して削除可指示が入力されたとする（ステップＳ１２０７）。削除可指示が入力されると、移動再生表示端末３ａは、再生が完了したコンテンツのファイル名と削除可指示からなるコンテンツ再生完了情報をコンテンツ管理装置２へ送出する（ステップＳ１２０８）。
【００４８】
コンテンツ管理装置２は、コンテンツ再生完了情報を受信すると、コンテンツを削除すべきかどうかの判断を行う（ステップＳ１２０９）。コンテンツ管理装置２は、受信したコンテンツ再生完了情報に削除可指示が含まれている場合は、コンテンツを削除すべきであると判断する。受信したコンテンツ再生完了情報に削除不可指示が含まれている場合は、コンテンツを削除すべきでないと判断する。このとき受信したコンテンツ再生完了情報には、削除可指示が含まれているので、コンテンツ管理装置２は、コンテンツを削除すべきであると判断する。コンテンツを削除すべきであると判断すると、コンテンツ管理装置２は、録画装置１へコンテンツの削除指示を送出する（ステップＳ１２１０）。
【００４９】
録画装置１は、コンテンツ管理装置２からコンテンツの削除指示を受信すると、コンテンツの削除を行う（ステップＳ１２１１）。
【００５０】
このように、移動再生表示端末は、コンテンツの再生が完了すると、コンテンツの再生が完了したことを表すコンテンツ再生完了情報をコンテンツ管理装置へ送出している。それ故、コンテンツ管理装置は、移動再生表示端末でコンテンツの再生が行われた場合でも、コンテンツの再生が完了したことを認識することが出来る。また、コンテンツ再生完了情報には、利用者が入力したコンテンツに対する削除可指示又は削除不可指示のいずれかが含まれる。それ故、利用者の指示に応じて、再生の完了したコンテンツを録画装置から削除することが出来る。
【００５１】
以下で、本発明の第３の実施例について説明する。
【００５２】
図１３は、本発明に係るコンテンツ管理システムの第３の実施例を示している。コンテンツ管理システムは、コンテンツの録画を行う録画装置１と、コンテンツの管理を行うコンテンツ管理装置２と、コンテンツの再生及び表示を行う移動再生表示端末３ｂと、コンテンツの配信を行うコンテンツ配信装置５から構成されている。録画装置１と、コンテンツ管理装置２と、コンテンツ配信装置５は、ＬＡＮ等の接続ケーブル６により接続されている。移動再生表示端末３ｂは、コンテンツ配信装置５から無線通信により配信されるコンテンツを受信することが出来る。
【００５３】
録画装置１は、テレビジョン放送やネット配信等により供給されるコンテンツの録画を行うものである。コンテンツ受信部１１は、テレビジョン放送やネット配信等により供給されるコンテンツを受信する。録画部１２は、コンテンツ受信部１１が受信したコンテンツの録画を行う。録画部１２が録画したコンテンツには、コンテンツの各々を識別するコンテンツＩＤが付与される。コンテンツ削除実行手段１３は、コンテンツ管理装置２からの削除指示に応じて、指定されたコンテンツの削除を行う。
【００５４】
コンテンツ管理装置２は、録画装置１に録画されているコンテンツの管理を行うものである。再生完了情報受信手段２１は、コンテンツ配信装置５から送出されるコンテンツ再生完了情報を受信する。再生完了情報登録手段２２は、再生完了情報受信手段２１が受信したコンテンツ再生完了情報をコンテンツ再生情報テーブル２５に登録する。コンテンツ削除判断手段２３は、再生完了情報受信手段２１が受信したコンテンツ再生完了情報に基づいて、コンテンツを削除すべきかどうかの判断を行う。コンテンツ削除指示手段２４は、コンテンツ削除判断手段２３が削除すべきであると判断したコンテンツに対する削除指示を録画装置１へ送出する。コンテンツ再生情報テーブル２５は、録画装置１に録画されているコンテンツの再生情報を記録している。
【００５５】
図２に、コンテンツ再生情報テーブル２５の例を示す。これは、第１の実施例のコンテンツ再生情報テーブル２５と同じものである。
【００５６】
移動再生表示端末３ｂは、コンテンツの再生及び表示を行うものである。再生表示手段３１は、コンテンツ配信装置５から配信されるコンテンツの再生及び表示を行う。コンテンツ受信手段３４は、コンテンツ配信装置５から配信されるコンテンツを受信する。
【００５７】
コンテンツ配信装置５は、録画装置１に録画されているコンテンツを移動再生表示端末３ｂへ配信するものである。コンテンツ配信手段５１は、録画装置１に録画されているコンテンツを移動再生表示端末３ｂへ配信する。再生完了判断手段５２は、移動再生表示端末３ｂでコンテンツの再生が完了したかどうかの判断を行う。再生完了判断手段５２は、移動再生表示端末３ｂへのコンテンツの配信が完了すると、移動再生表示端末３ｂでコンテンツの再生が完了したと判断する。再生完了情報送出手段５３は、再生完了判断手段５２がコンテンツの再生を完了したと判断した場合に、そのコンテンツの再生完了を表すコンテンツ再生完了情報をコンテンツ管理装置２へ送出する。コンテンツ再生完了情報には、再生の完了したコンテンツに対応するコンテンツＩＤと、再生を行った移動再生表示端末を表す端末識別情報が含まれる。
【００５８】
尚、録画装置、コンテンツ管理装置、コンテンツ配信装置を１つの装置で構成するようにしてもよい。
【００５９】
図１４に、録画装置１に録画されているコンテンツを移動再生表示端末３ｂで再生するときの動作を示す。
【００６０】
利用者が、移動再生表示端末３ｂでコンテンツＩＤとして「１１１１１」が付与されているコンテンツを再生する操作を行ったとする（ステップＳ１４０１）。再生の操作があると移動再生表示端末３ｂは、コンテンツＩＤ「１１１１１」が付与されているコンテンツを配信するようにコンテンツ配信装置５へ要求を出す（ステップＳ１４０２）。コンテンツ配信装置５は、配信要求を受信すると、録画装置１からコンテンツを読み出して（ステップＳ１４０３）、移動再生表示端末３ｂへ配信する（ステップＳ１４０４）。移動再生表示端末３ｂは、コンテンツ配信装置５から配信されるコンテンツの再生及び表示を行う（ステップＳ１４０５）。
【００６１】
ここで、コンテンツ配信装置５がコンテンツを最後まで移動再生表示端末３ｂへ配信したとする（ステップＳ１４０６）。コンテンツを最後まで移動再生表示端末３ｂへ配信すると、コンテンツ配信装置５は、移動再生表示端末３ｂでコンテンツの再生が完了したと判断する。そして、コンテンツ配信装置５は、再生が完了したと判断したコンテンツに対応するコンテンツＩＤとそのコンテンツの配信先の端末識別情報からなるコンテンツ再生完了情報をコンテンツ管理装置２へ送出する（ステップＳ１４０７）。ここでは、コンテンツＩＤとして「１１１１１」が、端末識別情報として「端末３ｂ」が送出される。
【００６２】
コンテンツ管理装置２は、コンテンツ再生完了情報を受信すると、コンテンツ再生情報テーブル２５へ受信したコンテンツ再生完了情報を登録する（ステップＳ１４０８）。コンテンツ管理装置２は、コンテンツ再生情報テーブル２５から、コンテンツＩＤの項目に、受信したコンテンツ再生完了情報に含まれるコンテンツＩＤ「１１１１１」が記録されている行を検索する。そして、検索された行の再生済みフラグの項目を「１」に設定して、その行の再生端末の項目に受信したコンテンツ再生完了情報に含まれる端末識別情報「端末３ｂ」を記録する。ここで、コンテンツ再生完了情報を受信する前のコンテンツ再生情報テーブル２５の内容が図２に示される内容であったとする。このとき、コンテンツＩＤ「１１１１１」と端末識別情報「端末３ｂ」からなるコンテンツ再生完了情報を受信して、受信したコンテンツ再生完了情報がコンテンツ再生情報テーブル２５に登録されたとする。この場合、コンテンツ再生情報テーブル２５の内容は図１５のようになる。コンテンツＩＤ「１１１１１」に対応する再生済みフラグの項目には「１」が設定されており、再生端末の項目には「端末３ｂ」が記録されている。
【００６３】
コンテンツ再生情報テーブル２５へコンテンツ再生完了情報を登録した後、コンテンツ管理装置２は、コンテンツを削除すべきかどうかの判断を行う（ステップＳ１４０９）。コンテンツ管理装置２は、受信したコンテンツ再生完了情報に含まれるコンテンツＩＤに対応するコンテンツを削除すべきであると判断する。この場合は、コンテンツＩＤとして「１１１１１」が含まれるコンテンツ再生完了情報を受信しているので、コンテンツＩＤ「１１１１１」を付与されたコンテンツを削除すべきであると判断する。コンテンツ管理装置２は、コンテンツを削除すべきであると判断すると、録画装置１へコンテンツの削除指示を送出する（ステップＳ１４１０）。ここでは、コンテンツＩＤ「１１１１１」を付与されたコンテンツに対する削除指示が送出される。
【００６４】
録画装置１は、コンテンツＩＤ「１１１１１」を付与されたコンテンツに対する削除指示を受信すると、コンテンツＩＤ「１１１１１」を付与されたコンテンツを削除する（ステップＳ１４１１）。
【００６５】
このように、コンテンツ配信装置は、移動再生表示端末でコンテンツの再生が完了したと判断すると、コンテンツの再生が完了したことを表すコンテンツ再生完了情報をコンテンツ管理装置へ送出している。それ故、コンテンツ管理装置は、移動再生表示端末でコンテンツの再生が行われた場合でも、コンテンツの再生が完了したことを認識することが出来る。また、コンテンツ管理装置は、コンテンツ配信装置からのコンテンツ再生完了情報を受信できればよいので、移動再生表示端末との間で送受信を行う必要が無くセキュリティが向上する。
【００６６】
尚、ここでは、移動再生表示端末へのコンテンツの配信が完了すると、移動再生表示端末でコンテンツの再生が完了したと判断しているが、移動再生表示端末でコンテンツの再生が完了したときに再生完了通知を移動再生表示端末からコンテンツ配信装置へ送出して、その通知をコンテンツ配信装置が受信した場合に移動再生表示端末でコンテンツの再生が完了したと判断してもよい。
【００６７】
上記説明したように本発明のコンテンツ管理システムによれば、移動再生表示端末でコンテンツの再生が完了した後に、再生が完了したことをコンテンツ管理装置へ通知しているので、移動再生表示端末でコンテンツの再生を行った場合でも、コンテンツの再生が行われたことを認識することが出来る。
【図面の簡単な説明】
【００６８】
【図１】本発明の第１の実施例であるコンテンツ管理システムを示すブロック図である。
【図２】図１のコンテンツ管理システムのコンテンツ再生情報テーブルの例を示す図である。
【図３】図１のコンテンツ管理システムの端末情報テーブルの例を示す図である。
【図４】図１のコンテンツ管理システムの動作を示すシーケンス図である。
【図５】図１のコンテンツ管理システムのコンテンツ再生情報テーブルの例を示す図である。
【図６】図１のコンテンツ管理システムの動作を示すシーケンス図である。
【図７】図１のコンテンツ管理システムのコンテンツ再生情報テーブルの例を示す図である。
【図８】図１のコンテンツ管理システムのコンテンツ再生完了情報受信ルーチンの動作を示すフローチャートである。
【図９】本発明の第２の実施例であるコンテンツ管理システムを示すブロック図である。
【図１０】図９のコンテンツ管理システムの動作を示すシーケンス図である。
【図１１】図９のコンテンツ管理システムで表示される削除指示画面の例を示す図である。
【図１２】図９のコンテンツ管理システムの動作を示すシーケンス図である。
【図１３】本発明の第３の実施例であるコンテンツ管理システムを示すブロック図である。
【図１４】図１３のコンテンツ管理システムの動作を示すシーケンス図である。
【図１５】図１３のコンテンツ管理システムのコンテンツ再生情報テーブルの例を示す図である。
【符号の説明】
【００６９】
１  録画装置
２  コンテンツ管理装置
３ａ〜３ｂ  移動再生表示端末
４  移動記憶装置
５  コンテンツ配信装置
【図１】
2008177744.tif 000003
【図２】
2008177744.tif 000004
【図３】
2008177744.tif 000005
【図４】
2008177744.tif 000006
【図５】
2008177744.tif 000007
【図６】
2008177744.tif 000008
【図７】
2008177744.tif 000009
【図８】
2008177744.tif 000010
【図９】
2008177744.tif 000011
【図１０】
2008177744.tif 000012
【図１１】
2008177744.tif 000013
【図１２】
2008177744.tif 000014
【図１３】
2008177744.tif 000015
【図１４】
2008177744.tif 000016
【図１５】
2008177744.tif 000017